(57)【要約】【課題】振動素子などの素子を透過したレーザー光による回路素子のダメージを防止することが可能な電子デバイスを提供する。【解決手段】基部２１と、基部２１から延出された支持部２７と、質量調整部としての調整用電極１２４ａ，１２４ｂと、が設けられている素子としての振動素子２０と、回路素子としての半導体基板１０と、を備え、振動素子２０は、平面視で調整用電極１２４ａ，１２４ｂが半導体基板１０と重ならない位置に配置され、支持部２７と半導体基板１０とが接続されて半導体基板１０に搭載されていることを特徴とする。【選択図】図１
2017015734.tif 000002
【特許請求の範囲】
【請求項１】
検出用振動部、駆動用振動部、及び調整用振動部が設けられている素子と、
前記素子が搭載されている回路素子と、を備え、
前記調整用振動部には、レーザー光の照射によって質量変化する質量調整部が設けられており、
前記素子は、平面視で、前記検出用振動部及び前記駆動用振動部の少なくとも一方が前記回路素子と重なり、前記質量調整部が前記回路素子と重ならない位置に配置されていることを特徴とする電子デバイス。
【請求項２】
請求項１に記載の電子デバイスにおいて、
前記質量調整部は、金属層を有しており、前記金属層の少なくとも一部が除去されていることを特徴とする電子デバイス。
【請求項３】
請求項１または請求項２に記載の電子デバイスにおいて、
前記素子は、
基部と、
前記基部から延出している支持部と、を備え、
前記検出用振動部は、前記基部の一端から延出している一対の検出用振動腕を含み、
前記駆動用振動部は、前記基部の前記一端とは反対側の他端から延出している一対の駆動用振動腕を含み、
前記調整用振動部は、前記一端、または前記他端のいずれか一方から延出し、前記検出用振動腕または前記駆動用振動腕を挟むように設けられている一対の調整用振動腕を含み、
前記質量調整部は、前記調整用振動腕に設けられており、
前記支持部と前記回路素子とが接続されていることを特徴とする電子デバイス。
【請求項４】
請求項１ないし請求項３に記載の電子デバイスにおいて、
前記回路素子が搭載されている基板と、
前記基板の前記質量調整部と平面視で重なる位置に設けられているレーザー保護層と、をさらに備えていることを特徴とする電子デバイス。
【請求項５】
請求項１ないし請求項４のいずれか一項に記載の電子デバイスを備えていることを特徴とする電子機器。
【請求項６】
請求項１ないし請求項４のいずれか一項に記載の電子デバイスを備えていることを特徴とする移動体。
【請求項７】
検出用振動部、駆動用振動部、及び、質量調整部が設けられている調整用振動部が設けられている素子を用意する工程と、
前記素子が搭載される回路素子を用意する工程と、
平面視で、前記検出用振動部及び前記駆動用振動部の少なくとも一方が前記回路素子と重なり、前記質量調整部が前記回路素子と重ならない位置において前記素子を前記回路素子に搭載する工程と、
前記質量調整部にレーザー光を照射し、質量調整を行う工程と、を含むことを特徴とする電子デバイスの製造方法。
【発明の詳細な説明】
【技術分野】
【０００１】
本発明は、電子デバイス、それを用いた電子機器と移動体、および電子デバイスの製造方法に関する。
【背景技術】
【０００２】
従来、電子デバイスの一例として、加速度や角速度などをセンシングする振動デバイスが知られている。振動デバイスは、素子の一例であるセンサー素子としての振動素子と、その振動素子を駆動する機能を有する回路素子と、を備えている。
また、このような振動デバイスとして、振動素子としてのジャイロ振動片（ジャイロ素子とも言う）と、回路素子が設けられた半導体基板（回路素子）と、を備えたセンサーデバイスがパッケージに収納されたものが特許文献１に開示されている。
このような構成の振動デバイスでは、半導体基板に振動素子が重なる様に搭載されている。また、振動素子の振動周波数の調整において、振動素子に備えられた質量調整部（電極等）の少なくとも一部を除去するためレーザー光が用いられている。
【先行技術文献】
【特許文献】
【０００３】
【特許文献１】特開２０１１−１７９９４１号公報
【発明の概要】
【発明が解決しようとする課題】
【０００４】
しかしながら、上述の振動デバイスでは、振動素子の振動周波数の調整に用いられるレーザー光が振動素子を透過し、半導体基板（回路素子）に照射されてしまうことがある。このように、振動素子を透過したレーザー光が半導体基板に照射された場合には、レーザー光によって半導体基板（回路素子）にダメージを与える虞があった。
【課題を解決するための手段】
【０００５】
本発明は、上述の課題の少なくとも一部を解決するためになされたものであり、以下の形態または適用例として実現することが可能である。
【０００６】
［適用例１］本適用例に係る電子デバイスは、質量調整部が設けられている素子と、前記素子が搭載されている回路素子と、を備え、前記素子は、平面視で前記質量調整部が前記回路素子と重ならない位置に配置されていることを特徴とする。
【０００７】
本適用例の電子デバイスによれば、平面視で質量調整部が回路素子と重ならない位置に配置されている。したがって、例えば、質量調整部に照射されたレーザー光が素子を透過しても回路素子に照射されることがない。これにより、レーザー光による回路素子へのダメージを防止することができる。
【０００８】
［適用例２］上記適用例に記載の電子デバイスにおいて、前記質量調整部は、金属層を有しており、前記金属層の少なくとも一部が除去されていることを特徴とする。
【０００９】
本適用例の電子デバイスによれば、レーザー光による回路素子へのダメージを防止するとともに、質量調整部の有する金属層の少なくとも一部をレーザー光の照射によって除去することにより質量の調整を行うことができる。
【００１０】
［適用例３］上記適用例に記載の電子デバイスにおいて、前記素子は、基部と、前記基部から延出している支持部と、前記基部の一端から延出している一対の検出用振動腕と、前記基部の前記一端とは反対側の他端から延出している一対の駆動用振動腕と、前記一端、または前記他端のいずれか一方から延出し、前記検出用振動腕または前記駆動用振動腕を挟むように設けられている一対の調整用振動腕と、を備え、前記質量調整部は、前記調整用振動腕に設けられており、前記支持部と前記回路素子とが接続されていることを特徴とする。
【００１１】
本適用例の電子デバイスによれば、質量調整部に照射されたレーザー光が素子を透過しても回路素子に照射されず、レーザー光による回路素子へのダメージを防止することができる。
【００１２】
［適用例４］本適用例に係る電子機器は、上記適用例のいずれか一例に記載の電子デバイスを備えていることを特徴とする。
【００１３】
本適用例によれば、回路素子へのダメージを防止した電子デバイスを用いているため、特性の安定した高信頼性の電子機器を提供することができる。
【００１４】
［適用例５］本適用例に係る移動体は、上記適用例のいずれか一例に記載の電子デバイスを備えていることを特徴とする。
【００１５】
本適用例によれば、回路素子へのダメージを防止した電子デバイスを用いているため、特性の安定した高信頼性の移動体を提供することができる。
【００１６】
［適用例６］本適用例に係る電子デバイスの製造方法は、基部と、前記基部から延出された支持部と、質量調整部と、が設けられている素子を用意する工程と、前記素子が搭載される回路素子を用意する工程と、前記素子を、平面視で前記質量調整部が前記回路素子と重ならない位置に配置し、前記素子を前記回路素子に搭載する工程と、前記質量調整部にレーザー光を照射し、質量調整を行う工程と、を含むことを特徴とする。
【００１７】
本適用例の電子デバイスの製造方法によれば、平面視で質量調整部が回路素子と重ならない位置に配置し、素子を回路素子に搭載する。その後、素子の質量調整部にレーザー光を照射し、質量調整を行っても、平面視で質量調整部が回路素子と重ならない位置に配置されていることから、質量調整部に照射されたレーザー光が素子を透過しても回路素子には照射されない。このように、レーザー光による回路素子へのダメージを防止することができる電子デバイスの製造方法を提供することができる。
【図面の簡単な説明】
【００１８】
【図１】実施形態に係る電子デバイスとしての振動デバイスを模式的に示し、（ａ）は平面図、（ｂ）は正断面図。
【図２】実施形態に係る電子デバイスとしての振動デバイスの、質量調整部の部分を拡大して示す部分断面図。
【図３】実施形態に係る素子としての振動素子（ジャイロ素子）の動作を説明する図。
【図４】実施形態に係る振動デバイスの製造工程を示すフロー図。
【図５】電子機器の一例としてのモバイル型のパーソナルコンピューターの構成を示す斜視図。
【図６】電子機器の一例としての携帯電話機の構成を示す斜視図。
【図７】電子機器の一例としてのデジタルスチールカメラの構成を示す斜視図。
【図８】移動体の一例としての自動車の構成を示す斜視図。
【発明を実施するための形態】
【００１９】
以下、本発明の実施形態を図面に沿って説明する。なお、以下に示す各図においては、各構成要素を図面上で認識され得る程度の大きさとするため、各構成要素の寸法や比率を実際の構成要素とは適宜に異ならせて記載する場合がある。また、ＸＹＺ直交座標系を設定し、このＸＹＺ直交座標系を参照し、各部の位置関係について説明する。鉛直面内における所定方向をＸ軸方向、鉛直面内においてＸ軸方向と直交する方向をＹ軸方向、Ｘ軸方向及びＹ軸方向のそれぞれに直交する方向をＺ軸方向とする。また、重力方向を基準として、重力方向を下方向、逆方向を上方向とする。
【００２０】
本発明にかかる電子デバイスの一例としての本実施形態の振動デバイスは、駆動回路素子が設けられた半導体基板の能動面である第１の面に振動素子が重ねて設けられているものである。
【００２１】
本発明にかかる電子デバイスの一例として振動デバイスを用い、図１、図２、図３に沿って実施形態を説明する。
図１は、本実施形態にかかる振動デバイスの概略構成を模式的に示し、（ａ）は平面図、（ｂ）は正断面図である。図２は、振動デバイスの質量調整部の部分を拡大して示す部分断面図である。図３は、振動デバイスに用いられる素子としての振動素子（ジャイロ素子）の動作を説明する概略図である。
【００２２】
図１に示すように、本実施形態の電子デバイスの一例としての振動デバイス１は、回路素子としての半導体基板１０と、素子としての振動素子（ジャイロ素子）２０と、ベース基板（パッケージ）８０と、を備えている。
【００２３】
（振動素子の構造）
本実施形態の振動素子（ジャイロ素子）２０は、基材（主要部分を構成する材料）として圧電体材料である水晶を用いている。水晶は、結晶軸として電気軸と呼ばれるＸ軸、機械軸と呼ばれるＹ軸及び光学軸と呼ばれるＺ軸を有している。本実施形態では、水晶の結晶軸において直交するＸ軸及びＹ軸で規定される平面に沿って切り出されて平板状に加工され、平面と直交するＺ軸方向に所定の厚みを有した所謂水晶Ｚ板を基材として用いた例を説明する。なお、ここでいう所定の厚みは、発振周波数（共振周波数）、外形サイズ、加工性などにより適宜設定される。また、振動素子２０を形成する平板は、水晶からの切り出し角度の誤差を、Ｘ軸、Ｙ軸及びＺ軸の各々につき多少の範囲で許容できる。例えば、Ｘ軸を中心に０度から２度の範囲で回転して切り出したものを使用することができる。Ｙ軸及びＺ軸についても同様である。本実施形態において振動素子２０は、水晶を用いたが他の圧電材料（例えば、タンタル酸リチウムやチタン酸ジルコン酸鉛等）を基材として用いても良い。
【００２４】
振動素子２０は、フォトリソグラフィー技術を用いたエッチング（ウエットエッチングまたはドライエッチング）によって形成されている。なお、振動素子２０は、１枚の水晶ウェハーから複数個取りすることが可能である。
【００２５】
本実施形態の振動素子２０は、所謂Ｈ型と呼ばれる構成のジャイロ素子である。振動素子２０は、基材を加工することにより一体に形成された、基部２１と、振動部としての駆動用振動腕２２ａ，２２ｂ、及び検出用振動腕２３ａ，２３ｂと、調整用振動腕２４ａ，２４ｂと、を有している。更に、基部２１の一方端から延出する第１連結部２５ａ、および第１連結部２５ａから延在する第１延設部２５ｂと、基部２１の他方端から延出する第２連結部２６ａ、および第２連結部２６ａから延在する第２延設部２６ｂと、が形成されている。さらに、第１延設部２５ｂと第２延設部２６ｂは、それぞれ延伸し、連結されて支持部２７が形成されている。支持部２７は、駆動用振動腕２２ａ，２２ｂに対向するように設けられており、振動素子２０が半導体基板１０に固定されるための、図示しない電極が設けられている。そして、振動素子２０は、支持部２７に設けられている電極と半導体基板１０とが固定されることによって電気的導通を取りながら半導体基板１０に搭載される。
【００２６】
振動素子２０の調整用振動腕２４ａ，２４ｂには、質量調整部としての調整用電極（金属層）１２４ａ，１２４ｂが形成されている。また、調整用電極１２４ａ，１２４ｂは、振動素子２０の周波数調整の際に利用される。周波数調整は、調整用振動腕２４ａ，２４ｂにレーザー光を照射する方法などにより、調整用電極１２４ａ，１２４ｂの一部を除去することによって質量を変化（減少）させ調整用振動腕２４ａ，２４ｂの周波数を変化（上昇）させて、所望の周波数に調整する（詳細は後述する）。
【００２７】
振動素子２０の検出用振動腕２３ａ，２３ｂには、図示しない検出電極が形成されている。また、駆動用振動腕２２ａ，２２ｂには、図示しない駆動電極が形成されている。振動素子２０は、検出用振動腕２３ａ，２３ｂで、角速度等を検出する検出振動系を構成し、駆動用振動腕２２ａ，２２ｂと、調整用振動腕２４ａ，２４ｂとで、振動素子２０を駆動する駆動振動系を構成している。
【００２８】
（半導体基板の構造）
半導体基板１０は、半導体基板１０の能動面１０ａに、図示を省略するトランジスターやメモリー素子などの半導体素子、及び、回路配線を含んで構成される集積回路（駆動回路）などの能動素子（不図示）が形成される能動領域を有している。
この能動領域に形成された能動素子には、振動素子２０を駆動振動させるための駆動回路、角速度等が加わったときに振動素子２０に生じる検出振動を検出する検出回路などが備えられている。
【００２９】
また、熱膨張（収縮）によって、半導体基板１０と振動素子２０との間に生じる応力を緩和する応力緩和層（図１及び図２において図示省略）が能動面１０ａに設けられている。
【００３０】
（半導体の電極構成）
半導体基板１０には、能動面１０ａ側に設けられた第１の電極１３が設けられている。第１の電極１３は、半導体基板１０に設けられた集積回路に直接導通して形成されたものである。また、能動面１０ａ上には、パッシベーション膜となる第１絶縁膜が形成されており（不図示）、この第１絶縁膜には、第１の電極１３上に開口部（不図示）が形成されている。また、応力緩和層の開口部（不図示）にも第１の電極１３上に開口部（不図示）が形成されている。このような構成によって第１の電極１３は、それぞれの開口部内にて外部に露出した状態となっている。
【００３１】
第１の電極１３上には、接続端子１２が設けられている。この接続端子１２は、例えば、Ａｕスタッドバンプで形成された突起電極となっている。なお、接続端子１２は、Ａｕスタッドバンプの他に銅、アルミやはんだボールなど他の導電性材料にて形成することもできる。また、接続端子１２は、銀粉や銅粉などの導電性フィラーと合成樹脂等とを混合した導電性接着剤によっても形成することができる。
このような構成により、半導体基板１０と振動素子２０とは、半導体基板１０に形成された第１の電極１３および接続端子１２を介して振動素子２０に設けられた支持部２７の図示しない電極と電気的に接続される。
この際、振動素子２０は、接続端子１２が突起電極となっていることから、半導体基板１０との間に隙間が設けられる。
【００３２】
また、半導体基板１０の能動面１０ａ側には接続端子１２と同程度の厚みを有する素子保持部１５が、振動素子２０の第１連結部２５ａと第２連結部２６ａに対向する位置に設けられている。素子保持部１５は、柔軟な材料、例えばポリイミド系樹脂、シリコーン系樹脂、ウレタン系樹脂などで形成されることが好ましい。
素子保持部１５は、半導体基板１０と振動素子２０との空隙を確実に保つとともに、振動デバイス１に衝撃が加わるなどにより振動素子２０が撓み、半導体基板１０に衝突して振動素子２０が破損することを防止する、所謂緩衝材として機能させることができる。
なお、本実施形態では、素子保持部１５の形成された例で説明したが、振動素子２０と半導体基板１０との間に十分な隙間が設けられれば、素子保持部１５を設けない構成でもよい。
【００３３】
また、半導体基板１０に設けられた集積回路には、第１の電極１３以外に図示しない電極、およびこれらの電極と接続された配線が設けられている。集積回路は、これらの電極、あるいは配線などを介して配線用端子（パッド電極）１４と接続されている。配線用端子１４は、電気的、あるいは機械的な接続を成すためのパッド状に形成されている。配線用端子１４は、例えば、金（Ａｕ）、アルミニウム（Ａｌ）などのワイヤー３１を用いる、所謂ワイヤーボンディングによって、ベース基板８０に設けられている接続部８２と接続されている。なお、本例では、配線用端子１４とベース基板８０（接続部８２）との接続にワイヤー３１を用いる構成で説明したが、ワイヤー３１に替えてフレキシブル配線基板（ＦＰＣ：Ｆｌｅｘｉｂｌｅ  Ｐｒｉｎｔｅｄ  Ｃｉｒｃｕｉｔｓ）などを用いて接続することもできる。
【００３４】
（ベース基板（パッケージ））
次に、振動デバイス１を構成するベース基板８０について説明する。
ベース基板（パッケージ）８０の底面８３には、半導体基板１０が接合（接続）されている。半導体基板１０と底面８３との接合は、半導体基板１０の能動面１０ａと表裏の関係となる半導体基板１０の非能動面１０ｂが、図示しない接着剤などの接合部材により底面８３と接合されている。
ベース基板８０は、例えば、セラミックのような絶縁性材料で形成されている。半導体基板１０と接合されるベース基板８０の底面８３には、接続部８２が形成されている。この接続部８２には、金（Ａｕ）、銀（Ａｇ）などの金属被膜が形成されている。また、ベース基板８０の接続部８２と、半導体基板１０に設けられた配線用端子１４とがワイヤー３１によって接続されている。なお、接続部８２は、図示を省略する配線によってベース基板８０に設けられた外部端子と接続されている。
【００３５】
ベース基板８０は、周囲に側壁８１を有し、中央部が凹形状のパッケージ（収納容器）を形成している。ベース基板８０内（パッケージ内）に収納された半導体基板１０や振動素子２０などは、蓋体８５によって気密的に封止される。蓋体８５は、金属製リッドなどが用いられており、パッケージの側壁８１の端面とシールリング８４を介して接合されている。
【００３６】
（振動素子の配置）
振動素子２０は、振動デバイス１を平面視した場合において、調整用振動腕２４ａ，２４ｂに設けられた質量調整部としての調整用電極１２４ａ，１２４ｂが、半導体基板１０と重ならないように半導体基板１０の能動面１０ａ側に配置されている。換言すると、振動デバイス１を平面視した場合において、振動素子２０は、調整用電極１２４ａ，１２４ｂが、ベース基板８０の底面８３に対向するように配置される。
振動素子２０は、支持部２７が接続端子１２を介して半導体基板１０に設けられた第１の電極１３に接続されることによって半導体基板１０に搭載されている。
【００３７】
図２に示すように、図中矢印の方向から照射されたレーザー光Ｌは、調整用電極（金属層）１２４ａ（１２４ｂ）を除去しながらレーザー光Ｌの光軸が水平方向に移動する。調整用電極１２４ａ（１２４ｂ）が除去された部分１２４ａ’は、レーザー光Ｌが調整用振動腕２４ａ，２４ｂを透過する。したがって、振動素子２０が前述のように配置されている場合は、後述する周波数調整工程Ｓ６００において、調整用振動腕２４ａ，２４ｂを透過したレーザー光Ｌが、ベース基板８０の底面８３に照射されることになる。
このような構成とすることにより、調整用電極１２４ａ（１２４ｂ）に照射されたレーザー光Ｌが振動素子２０を透過しても半導体基板１０の能動面１０ａに照射されることがない。これにより、レーザー光Ｌによる半導体基板１０へのダメージを防止することができる。
【００３８】
本実施形態の振動デバイス１のベース基板８０は、前述の通りセラミックなどの材料で形成されており、レーザー光が照射されることによって溶融される虞は少ない。しかしながら、少ない溶融でも、例えばベース基板８０の強度に影響を生じる虞がある場合は、図２に示すように、ベース基板８０にレーザー光Ｌが照射される可能性のある領域にレーザー保護層８６を設けてもよい。レーザー保護層８６は、タングステン（Ｗ）、ニッケル（Ｎｉ）、クロム（Ｃｒ）などの金属層、或いは金属層に金（Ａｕ）などのメッキを施した構成で形成することができる。
このレーザー保護層８６をベース基板８０の底面８３に設けることにより、調整用振動腕２４ａ，２４ｂを透過したレーザー光Ｌが、ベース基板８０の底面８３に直接照射されることがなくなり、ベース基板の底面８３へのレーザー光Ｌによるダメージを防止することができる。
【００３９】
（振動素子の動作）
ここで、振動デバイス１に搭載される振動素子（ジャイロ素子）２０の動作について説明する。図３は、振動デバイス１を構成する振動素子２０の動作を示す図である。
先ず、半導体基板１０に設けられた駆動回路から振動素子２０へ励振駆動信号が印加される。所定の励振駆動信号が印加された駆動用振動腕２２ａ，２２ｂを振動させた状態で、振動素子２０にＺ軸回りの角速度ωが加わることによって、検出用振動腕２３ａ，２３ｂにはコリオリ力による振動が生じる。この検出用振動腕２３ａ，２３ｂの振動によって調整用振動腕２４ａ，２４ｂが励振される。そして、振動デバイス１は、検出用振動腕２３ａ，２３ｂに設けられた検出電極（図１において不図示）が、振動により発生した振動素子２０の基材である水晶（圧電材料）の歪を検出することで、角速度を求めることができる。
【００４０】
（センサーデバイスの製造方法）
ここで、本実施形態の振動デバイス１の製造方法について説明する。
なお、本説明では、図１に示す振動デバイス１において、ベース基板８０として凹部を有するパッケージを用いて、そのパッケージ内に振動デバイス１を接合し蓋体８５により封止する態様の振動デバイス１の製造方法を説明する。図４は、振動デバイス１の製造工程を示すフロー図（フローチャート）である。なお、以下の説明は、図４を用いるとともに、図１を参照し、同図の符号を用いて行う。
【００４１】
図４に示す様に、振動デバイス１の製造方法は、ベース基板準備工程Ｓ１００と、半導体基板形成工程Ｓ２００と、半導体基板接続工程Ｓ３００と、振動素子形成工程Ｓ４００と、振動素子接続工程Ｓ５００と、周波数調整工程Ｓ６００と、封止工程Ｓ７００と、ベーキング工程Ｓ８００と、特性検査工程Ｓ９００とを含む。
【００４２】
［ベース基板準備工程］
ベース基板準備工程Ｓ１００は、ベース基板８０を準備する工程である。ベース基板準備工程Ｓ１００は、セラミックなどで形成されたベース基板８０を準備する。なお、ベース基板８０の一面である底面８３には、半導体基板１０との電気的接続を行うための接続部８２が形成されている。
【００４３】
［半導体基板形成工程］
半導体基板形成工程Ｓ２００は、振動素子２０が搭載される半導体基板１０を形成する工程である。半導体基板形成工程Ｓ２００は、シリコンウエハー製造工程Ｓ２１０と、ダイシング工程Ｓ２２０とを含む。
シリコンウエハー製造工程Ｓ２１０は、半導体製造プロセスを用いて能動素子を備える半導体基板１０をシリコンウエハーに複数一括して形成する。この工程において、シリコンウエハーに形成されるそれぞれの半導体基板１０の能動面１０ａ上の、集積回路の導電部となる位置に、第１の電極１３、配線用端子１４、及び図示しない他の電極を形成する。また、半導体基板１０の能動面１０ａ側に、図示しない応力緩和層や第１絶縁膜や保護層を形成する。
【００４４】
ついで、フォトリソグラフィー法及びエッチング法によって応力緩和層と、第１絶縁膜との一部を除去し、開口部を形成する。これにより、これら開口部内に第１の電極１３、他の電極（図示せず）、および配線用端子１４を露出させる。
配線用端子１４には、その表面にニッケル（Ｎｉ）、金（Ａｕ）メッキを施すことにより、ワイヤーボンディングの際の接合性を高めておく。なお、ハンダメッキ、ハンダプリコートなどの表面処理を施したものとしてもよい。
【００４５】
また、シリコンウエハー製造工程Ｓ２１０は、第１の電極１３上に、Ａｕスタッドバンプで形成された接続端子１２を形成する。なお、接続端子１２は、Ａｕスタッドバンプの他に銅、アルミニウム（Ａｌ）やはんだボール、はんだペーストなど他の導電性材料にて形成することもできる。
また、シリコンウエハー製造工程Ｓ２１０では、能動面１０ａ側に素子保持部１５を形成してもよい。素子保持部１５は、ポリイミド系樹脂、シリコーン系樹脂、ウレタン系樹脂などで形成される。
【００４６】
ダイシング工程Ｓ２２０は、シリコンウエハーに複数個取りされて形成された半導体基板１０を個片化する工程である。ダイシング工程Ｓ２２０は、先ずベベルカット法によって、保護層の切断及び半導体基板１０の一部の切断（ハーフカット）を行う。次いで、ダイシングソーなどを用い、その回転刃によって、半導体基板１０の切断を行う。
保護層を切断（切開）するベベルカットは、Ｖ字形状の刃物を被切断物である保護層と半導体基板１０に押し当てることで、保護層と半導体基板１０とを刃物と同じＶ字形状に切開する。
次にダイシング工程Ｓ２２０は、ベベルカット法によって保護層と半導体基板１０の一部とが切り開かれ半導体基板１０が表れた部分に、回転刃を挿入してシリコンウエハーを切断し、半導体基板１０を個片化する。
【００４７】
［半導体基板接続工程］
半導体基板接続工程Ｓ３００は、半導体基板１０の非能動面１０ｂ側を、ベース基板８０の底面８３に接着剤などの接合部材（図示せず）を介して接合する工程である。また、半導体基板接続工程Ｓ３００は、半導体基板１０の配線用端子１４とベース基板８０の接続部８２とを、ワイヤーボンディング法によりワイヤー３１を用いて接続する。
【００４８】
［振動素子形成工程］
振動素子形成工程Ｓ４００は、振動素子としての振動素子２０を形成する工程である。振動素子形成工程Ｓ４００は、外形形成工程Ｓ４１０と、電極形成工程Ｓ４２０と、離調周波数調整工程Ｓ４３０と、ブレイク工程Ｓ４４０とを含む。
振動素子２０は、図示しない振動素子用ウェハーを用いて多数個取りにて形成することができる。
先ず、外形形成工程Ｓ４１０は、振動素子用ウェハーにフォトリソグラフィー技術を用いたエッチングにより複数の振動素子２０の外形を形成する工程である。
次に、電極形成工程Ｓ４２０は、振動素子２０の素材にスパッタリングや蒸着により形成された金属層を、フォトリソグラフィー技術を用いて駆動電極や検出電極等の電極や配線として形成する工程である。この電極形成工程Ｓ４２０において、振動素子２０における調整用振動腕２４ａ，２４ｂに質量調整部としての調整用電極１２４ａ，１２４ｂや、検出用振動腕２３ａ，２３ｂに図示を省略する検出電極や、駆動用振動腕２２ａ，２２ｂに図示を省略する駆動電極を形成する。
【００４９】
［離調周波数調整工程］
離調周波数調整工程Ｓ４３０は、レーザー光を用いて振動素子２０の離調周波数調整を行う工程である。
離調周波数調整工程Ｓ４３０では、調整用振動腕２４ａ，２４ｂと、駆動用振動腕２２ａ，２２ｂとの屈曲振動周波数の差をみて、その差を補正するバランス調整（チューニング）を行うものであり、振動素子用ウェハーの状態で行うことができる。換言すると、後述するブレイク工程Ｓ４４０の前に行うことができる。
チューニングは、調整用振動腕２４ａ，２４ｂに設けられた調整用電極１２４ａ，１２４ｂに、集光されたレーザー光を照射して行う。レーザー光が照射された調整用電極１２４ａ，１２４ｂは、レーザー光のエネルギーによりその一部が溶融、蒸発する。この調整用電極１２４ａ，１２４ｂの溶融、蒸発により、調整用振動腕２４ａ，２４ｂの質量が変化する。これによって、駆動用振動腕２２ａ，２２ｂと調整用振動腕２４ａ，２４ｂとの共振周波数が変化するので、各振動腕のバランス調整（チューニング）を行うことができる。チューニングは、振動素子２０が半導体基板１０に搭載されてから周波数調整工程Ｓ６００によって再度行われる。
【００５０】
［振動素子ブレイク工程］
ブレイク工程Ｓ４４０は、振動素子用ウェハーをブレイク（切断）して個片の振動素子２０を得る個片化を行う工程である。個片化は、外形形成工程Ｓ４１０にて振動素子用ウェハーの振動素子２０の外形の一部の連結部分にミシン目や溝を形成しておくことにより、そのミシン目や溝に沿ってブレイクすることによって行うことができる。
【００５１】
［振動素子接続工程］
振動素子接続工程Ｓ５００は、振動素子２０を半導体基板１０に載置し、半導体基板１０の第１の電極１３と、振動素子２０の支持部２７に設けられている図示しない電極とを接続端子１２を介して接続する工程である。
このとき、振動素子２０は、振動デバイス１を平面視した場合において、調整用振動腕２４ａ，２４ｂに設けられた質量調整部としての調整用電極１２４ａ，１２４ｂが、半導体基板１０と重ならないように配置する。換言すると、振動デバイス１を平面視した場合において、調整用電極１２４ａ，１２４ｂが、ベース基板８０の底面８３に対向するように振動素子２０を配置し、半導体基板１０に振動素子２０を搭載する。
【００５２】
［周波数調整工程］
周波数調整工程Ｓ６００は、レーザー光を用いて振動素子２０の周波数調整（バランスチューニング）を行う工程である。バランスチューニングは、振動素子２０の調整用振動腕２４ａ，２４ｂに設けられた調整用電極１２４ａ，１２４ｂに、前述した離調周波数調整工程Ｓ４３０と同様に、集光されたレーザー光を照射して行う。レーザー光が照射された調整用電極１２４ａ，１２４ｂは、レーザー光のエネルギーにより溶融、蒸発し、その質量変化により調整用振動腕２４ａ，２４ｂの共振周波数を変化させることによって、駆動用振動腕２２ａ，２２ｂのバランス調整（チューニング）を行うことができる。具体的には、振動デバイス１（振動素子２０）に加速度が加わっていない状態において駆動用振動腕２２ａ，２２ｂを励振して振動させたときに、検出用振動腕２３ａ，２３ｂが振動しない様に調整用振動腕２４ａ，２４ｂに設けられた質量調整部としての調整用電極１２４ａ，１２４ｂの質量調整によって周波数調整を行う。
【００５３】
このとき、調整用電極１２４ａ，１２４ｂを溶融、蒸発させたレーザー光が、振動素子２０を透過することがあるが、本例の構成では、振動デバイス１を平面視した場合において、調整用振動腕２４ａ，２４ｂに設けられた質量調整部としての調整用電極１２４ａ，１２４ｂが、半導体基板１０と重ならないように配置されている。これによって、レーザー光が調整用振動腕２４ａ，２４ｂ（振動素子２０）を透過した場合には、そのレーザー光は、ベース基板８０の底面８３、或いはベース基板８０の底面８３に設けられたレーザー保護層８６に照射され、半導体基板１０には直接照射されない。これにより、半導体基板１０に設けられた能動素子や配線などを含んで構成される集積回路が溶融して特性が損なわれることを回避することができる。
【００５４】
［封止工程］
封止工程Ｓ７００は、ベース基板（パッケージ）８０上に蓋体８５を接合することにより、半導体基板１０および振動素子２０が接合されたベース基板８０の凹部を封止する工程である。本例では、蓋体として金属製のリッド８５を用いている。封止工程Ｓ７００は、リッド８５を、例えば鉄（Ｆｅ）−ニッケル（Ｎｉ）合金等からなるシールリング８４を介してシーム溶接することにより接合することができる。このとき、必要に応じて、ベース基板８０の凹部とリッド８５とにより形成されるキャビティーを減圧空間、または不活性ガス雰囲気にして密閉・封止することができる。また、リッド８５の他の接合方法としては、リッド８５をハンダ等の金属ロウ材を介してベース基板８０上に接合したり、または、ガラス製のリッド８５を用いて、低融点ガラス等でベース基板８０上に接合したりすることもできる。
【００５５】
［ベーキング工程、特性検査工程］
ベーキング工程Ｓ８００は、振動デバイス１を、所定温度のオーブンに所定時間投入し、振動デバイス１に含まれる水分を排湿するベーキングを行う工程である。
また、特性検査工程Ｓ９００は、電気特性検査や外観検査などの特性検査を行って、規格外の不良品を取り除く工程である。
特性検査工程Ｓ９００が完了すれば、一連の振動デバイス１の製造工程が終了する。
【００５６】
上述した実施形態の振動デバイス１によれば、以下の効果が得られる。
振動デバイス１の調整用振動腕２４ａ，２４ｂに設けられた質量調整部としての調整用電極１２４ａ，１２４ｂが、半導体基板１０と重ならず、ベース基板８０の底面８３に対向するように配置されている。したがって、周波数調整工程Ｓ６００において、調整用振動腕２４ａ，２４ｂを透過したレーザー光Ｌは、ベース基板８０の底面８３に照射され、半導体基板１０の能動面１０ａに照射されることがない。これにより、レーザー光Ｌによる半導体基板１０へのダメージを防止することができる。
【００５７】
また、上述した振動デバイス１の製造方法によれば、以下の効果が得られる。
振動デバイス１の製造方法は、振動デバイス１を平面視したとき、調整用電極１２４ａ，１２４ｂが半導体基板１０の能動面１０ａと重ならない位置に配置し、半導体基板１０に振動素子２０を搭載する。その後、調整用電極１２４ａ，１２４ｂにレーザー光を照射し、質量調整を行う。したがって、調整用電極１２４ａ，１２４ｂに照射されたレーザー光が振動素子２０を透過しても半導体基板１０には照射されない。このように、レーザー光による半導体基板１０へのダメージを防止することができる振動デバイス１の製造方法を提供することができる。
【００５８】
前述の実施形態では、素子として所謂Ｈ型のジャイロ素子を用いたジャイロセンサーを例に説明したが、電子デバイスとしてはこれに限らない。他の電子デバイスとしては、例えば素子としてＷＴ型、あるいは音叉型のジャイロ素子を用いたジャイロセンサー、水晶振動素子（振動片）を用いたタイミングデバイス（水晶振動子、水晶発振器など）、感圧素子を用いた圧力センサーなどであってもよい。
【００５９】
［電子機器］
次いで、本発明の一実施形態に係る電子デバイスを適用した電子機器について、図５〜図７に基づき、詳細に説明する。
【００６０】
図５は、本発明の一実施形態に係る振動素子を備える電子機器としてのモバイル型（又はノート型）のパーソナルコンピューターの構成の概略を示す斜視図である。この図において、パーソナルコンピューター１１００は、キーボード１１０２を備えた本体部１１０４と、表示部１００を備えた表示ユニット１１０６とにより構成され、表示ユニット１１０６は、本体部１１０４に対しヒンジ構造部を介して回動可能に支持されている。このようなパーソナルコンピューター１１００には、フィルター、共振器、基準クロック等として機能する電子デバイス（タイミングデバイス）１が内蔵されている。
【００６１】
図６は、本発明の一実施形態に係る電子デバイスを備える電子機器としての携帯電話機（ＰＨＳも含む）の構成の概略を示す斜視図である。この図において、携帯電話機１２００は、複数の操作ボタン１２０２、受話口１２０４および送話口１２０６を備え、操作ボタン１２０２と受話口１２０４との間には、表示部１００が配置されている。このような携帯電話機１２００には、フィルター、共振器、角速度センサー等として機能する電子デバイス（タイミングデバイス、ジャイロセンサー）１が内蔵されている。
【００６２】
図７は、本発明の一実施形態に係る振動素子を備える電子機器としてのデジタルスチールカメラの構成の概略を示す斜視図である。なお、この図には、外部機器との接続についても簡易的に示されている。ここで、通常のカメラは、被写体の光像により銀塩写真フィルムを感光するのに対し、デジタルスチールカメラ１３００は、被写体の光像をＣＣＤ（Charge Coupled Device）等の撮像素子により光電変換して撮像信号（画像信号）を生成する。
デジタルスチールカメラ１３００におけるケース（ボディー）１３０２の背面には、表示部１００が設けられ、ＣＣＤによる撮像信号に基づいて表示を行う構成になっており、表示部１００は、被写体を電子画像として表示するファインダーとして機能する。また、ケース１３０２の正面側（図中裏面側）には、光学レンズ（撮像光学系）やＣＣＤ等を含む受光ユニット１３０４が設けられている。
撮影者が表示部１００に表示された被写体像を確認し、シャッターボタン１３０６を押下すると、その時点におけるＣＣＤの撮像信号が、メモリー１３０８に転送・格納される。また、このデジタルスチールカメラ１３００においては、ケース１３０２の側面に、ビデオ信号出力端子１３１２と、データ通信用の入出力端子１３１４とが設けられている。そして、図示されるように、ビデオ信号出力端子１３１２にはテレビモニター１４３０が、データ通信用の入出力端子１３１４にはパーソナルコンピューター１４４０が、それぞれ必要に応じて接続される。さらに、所定の操作により、メモリー１３０８に格納された撮像信号が、テレビモニター１４３０や、パーソナルコンピューター１４４０に出力される構成になっている。このようなデジタルスチールカメラ１３００には、フィルター、共振器、角速度センサー等として機能する電子デバイス（タイミングデバイス、ジャイロセンサー）１が内蔵されている。
【００６３】
なお、本発明の一実施形態に係る振動デバイス１は、図５のパーソナルコンピューター（モバイル型パーソナルコンピューター）、図６の携帯電話機、図７のデジタルスチールカメラの他にも、例えば、インクジェット式吐出装置（例えばインクジェットプリンター）、ラップトップ型パーソナルコンピューター、テレビ、ビデオカメラ、ビデオテープレコーダー、カーナビゲーション装置、ページャー、電子手帳（通信機能付も含む）、電子辞書、電卓、電子ゲーム機器、ワードプロセッサー、ワークステーション、テレビ電話、防犯用テレビモニター、電子双眼鏡、ＰＯＳ端末、医療機器（例えば電子体温計、血圧計、血糖計、心電図計測装置、超音波診断装置、電子内視鏡）、魚群探知機、各種測定機器、計器類（例えば、車両、航空機、船舶の計器類）、フライトシミュレーター等の電子機器に適用することができる。
【００６４】
［移動体］
図８は移動体の一例としての自動車を概略的に示す斜視図である。自動車１０６には本発明に係る振動素子を有する振動子やジャイロ素子を有するジャイロセンサーなどの振動デバイス１が搭載されている。例えば、同図に示すように、移動体としての自動車１０６には、振動デバイス１を内蔵してタイヤ１０９を制御する電子制御ユニット１０８が車体１０７に搭載されている。また、振動デバイス１は、他にもキーレスエントリー、イモビライザー、カーナビゲーションシステム、カーエアコン、アンチロックブレーキシステム（ＡＢＳ）、エアバック、タイヤ・プレッシャー・モニタリング・システム（ＴＰＭＳ：Tire Pressure Monitoring System）、エンジンコントロール、ハイブリッド自動車や電気自動車の電池モニター、車体姿勢制御システム、等の電子制御ユニット（ＥＣＵ：electronic control unit）に広く適用できる。
【符号の説明】
【００６５】
１…電子デバイスとしての振動デバイス（ジャイロセンサー）、１０…回路素子としての半導体基板、１０ａ…能動面、１０ｂ…非能動面、１２…接続端子、１３…第１の電極、１４…配線用端子（パッド電極）、１５…素子保持部、２０…素子としての振動素子（ジャイロ素子）、２１…基部、２２ａ，２２ｂ…駆動用振動腕、２３ａ，２３ｂ…検出用振動腕、２４ａ、２４ｂ…調整用振動腕、２５ａ…第１連結部、２５ｂ…第１延設部、２６ａ…第２連結部、２６ｂ…第２延設部、２７…支持部、３１…ワイヤー、８０…ベース基板（パッケージ）、８１…側壁、８２…接続部、８３…底面、８４…シールリング、８５…蓋体としてのリッド、８６…レーザー保護層、１０６…移動体としての自動車、１２４ａ、１２４ｂ…調整用電極（金属層）、１１００…電子機器としてのモバイル型のパーソナルコンピューター、１２００…電子機器としての携帯電話機、１３００…電子機器としてのデジタルスチールカメラ、Ｌ…レーザー光。
【図１】
2017015734.tif 000003
【図２】
2017015734.tif 000004
【図３】
2017015734.tif 000005
【図４】
2017015734.tif 000006
【図５】
2017015734.tif 000007
【図６】
2017015734.tif 000008
【図７】
2017015734.tif 000009
【図８】
2017015734.tif 000010
【手続補正書】
【提出日】平成28年11月4日(2016.11.4)
【手続補正１】
【補正対象書類名】特許請求の範囲
【補正対象項目名】全文
【補正方法】変更
【補正の内容】
【特許請求の範囲】
【請求項１】
基部と、前記基部から延出し調整用質量部が設けられている振動腕と、を備える振動素子を用意する工程と、
回路素子を用意する工程と、
基板を用意する工程と、
前記基板に前記回路素子を搭載する工程と、
平面視で、前記基部の少なくとも一部が前記回路素子と重なり、かつ、前記質量調整部が前記回路素子と重ならない位置において前記振動素子を前記回路素子に搭載する工程と、
前記質量調整部にレーザー光を照射し、質量調整を行う工程と、を含むことを特徴とする電子デバイスの製造方法。
【請求項２】
請求項１に記載の電子デバイスの製造方法において、
前記質量調整部は、金属層を有し、
前記金属層の少なくとも一部を除去することにより前記質量調整を行うことを特徴とする電子デバイスの製造方法。
【請求項３】
請求項１または請求項２に記載の電子デバイスの製造方法において、
前記基板は、金属層を含むレーザー保護層を有し、
前記平面視で、前記質量調整部が前記レーザー保護層と重なる位置において前記振動素子を前記回路素子に搭載することを特徴とする電子デバイスの製造方法。
【請求項４】
請求項１ないし３のいずれか一項に記載の電子デバイスの製造方法において、
前記振動素子は、前記基部から延出し電極が設けられている支持部を備え、
前記回路素子は、接続端子を備え、
前記支持部の前記電極を前記接続端子に固定し、かつ電気的に接続することにより前記振動素子を前記回路素子に搭載することを特徴とする電子デバイスの製造方法。